(57)【要約】【課題】親水性の防汚透明板において、表面の水の濡れ性が非常に高いために発生する、汚れの滞留や逆流を防止することのできる透明板を提供する。【解決手段】光触媒含有層や親水性塗膜により親水性を有する透明板の表面に、水を誘導する形状的な水誘導構造を備えることによって、表面を流れ落ちる汚れを含んだ水が、逆流することを防ぐことができ、親水性防汚性能を十分に発揮することができる。その水誘導構造は、凸形状や溝構造が両横端を結んで横方向に帯状に伸びているものである。このようにすることで、表面で滞留したり逆流したりすることを防ぎ、汚れを含んだ水は、良好に排出され、表面を美麗に保つことができる。【選択図】      図１
2004300699.tif 000002
【特許請求の範囲】
【請求項１】
親水性の表面を有するとともに前記親水表面を横断するように帯状の水誘導構造を備え、該水誘導構造は、上部から表面を伝い落ちてきた水を、下方及び／または両側端へ誘導することを特徴とする透明板。
【請求項２】
水誘導構造は、突起状の構造であることを特徴とする請求項１に記載の透明板。
【請求項３】
水誘導構造は、溝状の構造であることを特徴とする請求項１に記載の透明板。
【請求項４】
親水性は、表面に酸化チタン光触媒を含有する層が形成されることにより付与されていることを特徴とする請求項１〜３のいずれか一項に記載の透明板。
【請求項５】
親水性は、表面に光触媒を含有しない親水性塗膜が形成されることにより、付与されていることを特徴とする請求項１〜３のいずれか一項に記載の透明板。
【請求項６】
透明板は、道路遮音壁に用いる遮音板であることを特徴とする請求項１〜５のいずれか一項に記載の透明板。
【発明の詳細な説明】
【０００１】
【発明の属する技術分野】
本発明は、表面が親水性であり、水流で表面の汚れが流される防汚材料に関するものであり、特に道路周辺に設置される透明遮音壁に用いられる親水防汚透明板に関するものである。
【０００２】
【従来の技術】
近年、物品の表面を親水化させることにより、表面に汚れが付着しても、水で簡単に洗い流されて、常に表面を清浄に保つ方法が一般化されている。これを屋外製品などに適用すれば、雨水などで自然に表面が洗い流されるので、特別なメンテナンスなしで長期にわたり清浄な状態を保つことができる。これを利用した製品として、道路周辺に設置される透明遮音壁が挙げられる。透明遮音壁は、遮音壁を通して反対側が見えるため、ドライバーへの圧迫感も少なく、安全である。しかし、車線に近いため自動車の排出する排ガスなどで汚染されやすく、すぐに汚れてしまう難点があった。そのため定期的な清掃が必要であるが、設置面積が非常に大きく、また場所によっては清掃するには車線規制が必要であったり、設置高さが高いところもあり、その維持は大変大掛かりになってしまっていた。このような物品の表面に親水性を付与することにより、雨水で自然に汚れが洗い流され、特別な維持管理なしに、長期にわたり清浄な状態を維持することができる。
【０００３】
透明板等に表面に親水性を付与する方法としては、光触媒である酸化チタンを含む層を形成させたり、親水塗料を塗装する方法等がある。酸化チタンは、太陽光などの紫外線が照射されると表面が超親水性状態になるものである。また、親水塗料は、例えばシリコーン系やシリコーン−フッ素系等があり、常に水に対する接触角が２０度付近で光触媒に比べると親水性は低いが、光がなくても性能を発揮することができる点で優れている。（例えば特許文献１〜３）
【０００４】
【特許文献１】
特開平１１−０８１２５０公報
【特許文献２】
特開平１２−１７６１９公報
【特許文献３】
特開２００２−１４４４９８公報
【０００５】
【発明が解決しようとする課題】
しかしながら、親水防汚材料は、表面の水の濡れ性が非常に高いため、汚れが水で洗い流されるときに、汚れを含んだ水が切れず、表面の下のほうに溜まってしまったり、場合によっては、表面の水との親和力によって、汚れを含んだ水が上部へ逆流することもある。このまま乾燥すると、材料表面の一部分に汚染物が残留し、防汚性が十分に発揮されない。
【０００６】
そこで本発明は上記の如き問題点に鑑みてなされたものであり、表面の水の濡れ性が非常に高いために発生する、汚れの滞留や逆流を簡便に防止することのできる透明板を提供せんとするものである。
【０００７】
【課題を解決するための手段】
上記課題を解決するために、本発明者は鋭意研究した結果、親水表面を横断するように帯状の水誘導構造を設けることで、表面を流れ落ちる汚れを含んだ水が、滞留したり逆流したりすることなく、誘導されることを知得し、本発明を完成するに至った。
【０００８】
上記目的を達成するために、本発明は次のような構成としている。すなわち、親水性の表面を有するとともに前記親水表面を横断するように帯状の水誘導構造を備え、該水誘導構造は、上部から表面を伝い落ちてきた水を、下方及び／または両側端へ誘導することを特徴とするものである。
【０００９】
親水性の表面に汚れが付着して、その汚れが水で洗い流されるとき、重力の影響で、上部のほうの水は比較的容易に下部のほうへ流される。しかし、下方に端部や枠組などの下端がある場合、大部分の水は端部や枠組を越えるが、その一部は、下端で滞留する。これは、材料の表面の水との親和性が非常に強いため、水が薄膜として表面に残存するためである。この端部を越えて水が落ちるためには、ある程度の大きさの水滴が形成される必要があるが、親和性が強く、水は薄膜で表面に広がっているので水滴ができにくく、水がその端部を越えることができない。そのため、汚れを含んだ水が、下端付近で、滞留したり逆に、表面を上部に向かって上がって行ったりする。
【００１０】
したがって、その表面の下端付近に水誘導構造を付加すれば、滞留する水を効果的に除去することができ、汚れを含んだ水が逆流することも無くすことができる。
【００１１】
また、水誘導構造は、突起状の構造であることを特徴とするものである。表面の下端付近に、水を誘導する構造として、表面よりも突出した構造が、両横端を結んで横方向に帯状に伸びているとよい。このようにしておくことで、上部から流れてきた水は、この凸部分を越えて下方へ流れるが、逆に下からは、この凸形状を越えて逆上することはない。また、この凸形状の両横端を、若干下方へ折り曲げておけば、この凸形状の上部に滞留してしまった水はこの折り曲げに沿って、両端誘導される。
【００１２】
また、水誘導構造は、溝状の構造であることを特徴とするものである。表面の下端付近に、水を誘導する構造として、溝状構造を両横端を結んで横方向に帯状に伸ばしてもよい。このようにすることで、上部から流れてきた水は、この溝状構造に誘導され、その溝に沿って、材料の横端誘導されるため、表面に滞留することはない。
【００１３】
また、親水性は、表面に酸化チタン光触媒を含有する層が形成されることにより付与されていることを特徴とするものである。
【００１４】
光触媒には二酸化チタンが好適に用いられ、その二酸化チタンはルチル型でもよいが、活性の高さからアナターゼ型のものが好ましく、この二酸化チタンに波長領域が３００〜４００ｎｍ付近の紫外光が照射されると活性化され、強い酸化力が発現し、表面に付着した汚染物質は分解される。また、二酸化チタンの活性によって表面は、対水接触角が０度〜２０度程度の超親水状態となり、汚染物質が付着しても、容易に雨で流されるようになり、長期間にわたり表面を綺麗に保つことができる。
【００１５】
また、親水性は、表面に光触媒を含有しない親水性塗膜が形成されることにより、付与されていることを特徴とするものである。
【００１６】
一般的に、光触媒を含有しない親水性塗膜は、対水接触角が１０度〜３０度程度の親水性を有しており、汚染物質が付着しても、比較的容易に雨などで流されるため、長期にわたり表面を綺麗にできる。また、光触媒と異なり、親水性を発現するために、紫外線を必要としないことから、北向き面や建築物の影になるところ、またトンネル等の日のあたらない場所などにも利用できる。親水性塗膜には、例えば、シリコーン樹脂系、フッ素樹脂系などがあり、またその混合系でもよい。
【００１７】
また、透明板は、道路遮音壁に用いる遮音板であることを特徴とするものである。
【００１８】
【発明の実施の形態】
本発明の実施の形態について、図面と実施例に基づき以下に具体的に説明する。図１は、親水性表面２を有する透明板１であって、その下端付近に突起状の水誘導構造３が備わっているものである。親水性表面２に付着した汚れは、雨水等の水で容易に洗い流される。洗い流された汚れを含んだ水は、矢印ａ１のように表面を伝い流れ、水誘導構造３を越えて（矢印ａ２）下部へ流れ落ちる。水誘導構造は、上方からの水の流れはスムーズに下方へ流し、下方からは逆流しない（矢印ａ３）ような構造となっている。図２は図１に示す透明板の水誘導構造の一例を示したもので、水誘導構造部分を拡大した断面図である。図２では、上方からの水の流れをスムーズに下方へ流すように、水誘導構造３の上部は、親水性表面２から徐々に傾斜が立ち上がるように滑らかに連続的になっている。また、水誘導構造の下部は、下方からの水の逆流を防止するように、表面２と水誘導構造面の成す角度が９０度より小さくなるような、くびれを設けてある。このようにすることで、汚れを含んだ水が表面で滞留したり逆流したりすることを防ぎ、表面を美麗に保つことができる。
【００１９】
また、図１のように水誘導構造は、透明板の両横端２１を結ぶように設けれらており、横端付近は、端に向かうに従い下方向へ設けられていると良い。このようにすることで、水誘導構造を越えて下方に流れなかった水が、凸形状を伝って、両端から外部へ流れ出る（矢印ａ４）ことができ、表面で滞留することがなく、表面を美麗に保つことができる。
【００２０】
また、図３は、親水性表面２を有する透明板１であって、その下端付近に溝状の水誘導構造３が備わっているものである。親水性表面２に付着した汚れは、雨水等の水で容易に洗い流される。洗い流された汚れを含んだ水は、矢印ｂ１のように表面を伝い流れ、水誘導構造まで流れてくると、溝に流入してこの溝を伝って、矢印ｂ２のように両横端から外部へ排出される。図３は図４に示す透明板の水誘導構造の一例を示したもので、水誘導構造部分を拡大した断面図である。上部から流れ落ちてきた水は、溝状構造内部に入り、そのまま溝を伝って、両端から外部へ排出される。
【００２１】
また、図５は、親水性を付与するために、表面に光触媒含有層を設けた材料の断面の概略図である。親水性を付与する透明板１１の上部に、材料が光触媒の活性で劣化しないように保護層１２を設け、さらにその上に、光触媒含有層１３を形成させる。保護層や光触媒含有層を形成させる方法は特に限定されるものではないが、光触媒を含有した塗料を塗装によって塗布すると良い。
【００２２】
また、図６は、親水性を付与するために、透明板材料の表面に光触媒を含まない親水性塗膜を形成させた材料の断面の概略図である。親水性を付与する透明板１１の上部に塗装によって親水性塗膜１４を形成させている。場合によっては、塗膜を下塗りと上塗りの２層にしてもよい。
【００２３】
図７は、透明板１の具体的な実施例であって、道路側縁に設置される透明遮音壁の遮音板に使われている例である。透明板は、例えば、ポリカーボネート樹脂やアクリル樹脂で形成されており、その表面に光触媒含有層や、光触媒を含まない親水性塗膜を塗装することによって親水性が付与されている。
【００２４】
【発明の効果】
透明板に表面の水を誘導する形状的な水誘導構造を備えることによって、表面を流れ落ちる汚れを含んだ水が、逆流することを防ぐことができ、親水性防汚性能を十分に発揮することができる。その水誘導構造が凸形状であり、表面よりも突出した構造が両横端を結んで横方向に帯状に伸びていることで、上部から流れてきた水は、この凸部分を越えて下方へ流れるが、逆に下からは、この凸形状を越えて逆上することはない。また、この凸形状の両横端を、若干下方へ折り曲げておけば、この凸形状の上部に滞留してしまった水はこの折り曲げに沿って、両端から排出することができる。また、水誘導構造が溝状構造であり、この溝構造が両横端を結んで横方向に帯状に伸びていることで、上部から流れてきた水は、この溝状構造に誘導され、その溝に沿って、材料の横端から排出されるため、表面に滞留することはない。このようにすることで、表面で滞留したり逆流したりすることを防ぎ、汚れを含んだ水は、良好に排出され、表面を美麗に保つことができる。
【００２５】
また、表面に光触媒含有層を形成させることで、親水性を付与すれば、表面は、対水接触角が０度〜２０度程度の超親水状態となり、汚染物質が付着しても、容易に雨で流されるようになり、長期間にわたり表面を綺麗に保つことができる。また、表面に光触媒を含有しない親水性塗膜が形成させることにより、親水性を付与すれば、光触媒と異なり、親水性を発現するために紫外線を必要としないことから、北向き面や建築物の影になるところ、またトンネル等の日のあたらない場所などの幅広い場所に適用することができる。
【図面の簡単な説明】
【図１】本発明の実施の一形態を示す概略図である。
【図２】本発明の実施の一形態を示す断面図である。
【図３】本発明の実施の一形態を示す概略図である。
【図４】本発明の実施の一形態を示す断面図である。
【図５】本発明の実施の一形態を示す断面図である。
【図６】本発明の実施の一形態を示す断面図である。
【図７】本発明の実施の一形態を示す説明図である。
【符号の説明】
ａ１  水の流れ
ａ２  水の流れ
ａ３  水の流れ
ａ４  水の流れ
ｂ１  水の流れ
ｂ２  水の流れ
１    透明板
１１  透明板材料
１２  保護層
１３  光触媒含有層
１４  親水性塗膜
２    親水性表面
３    水誘導構造
【図１】
2004300699.tif 000003
【図２】
2004300699.tif 000004
【図３】
2004300699.tif 000005
【図４】
2004300699.tif 000006
【図５】
2004300699.tif 000007
【図６】
2004300699.tif 000008
【図７】
2004300699.tif 000009